(57)【要約】【課題】カップ載置台に載置したカップに対応しているカップ選択ボタンを容易に判別することが可能な飲料ディスペンサを提供することを目的とする。【解決手段】前扉３の外面には飲料選択ボタン４ａ、４ｂ、４ｃを備えた操作パネル４が設けられ、注出される飲料が表示されている。前扉３の内側下方には、飲料を注出する飲料ノズルやチューブ式ポンプが配設され、その下方には飲料容器であるカップを載置するカップ載置台１２が設けられている。カップ載置台１２には飲料ノズルから注出される飲料を受けるカップを載置する位置を規制するカップガイド１３，１４、１５が設けられている。カップガイド１５の上方にはカップの有無を検知するカップ検知センサ１１が設けられている。【選択図】        図１
2010126174.tif 000002
【特許請求の範囲】
【請求項１】
利用者の所望する飲料を選択するための複数の飲料選択ボタンと、当該飲料選択ボタン位置下方の飲料注出位置それぞれに設けられて飲料を注出する飲料ノズルと、当該飲料ノズルから注出される飲料を受けるカップを載置するカップ載置台と、前記飲料選択ボタンで選択した飲料を前記飲料ノズルから注出させる飲料供給手段と、を備えている飲料ディスペンサにおいて、
前記飲料選択ボタンのそれぞれを後方から照明するボタン照明手段と、
前記各飲料注出位置それぞれでの前記カップ載置台上のカップの有無を検知するカップ検知手段と、
前記カップ検知手段の検知に基づいて前記ボタン照明手段と前記飲料供給手段とを制御する制御手段と、
を設けたことを特徴とする飲料ディスペンサ。
【請求項２】
前記制御手段は、前記カップ検知手段がカップを検知すると、当該カップ検知手段が設けられている飲料注出位置上方の飲料選択ボタンを除いた前記飲料選択ボタンの前記ボタン照明手段を消灯することを特徴とする請求項１に記載の飲料ディスペンサ。
【請求項３】
前記制御手段は、前記カップ検知手段がカップを検知すると、当該カップ検知手段が設けられている飲料注出位置上方の飲料選択ボタンの前記ボタン照明手段を点灯することを特徴とする請求項１に記載の飲料ディスペンサ。
【請求項４】
前記制御手段は、前記カップ検知手段がカップを検知していないときは前記飲料供給手段による飲料の供給を禁止し、
前記カップ検知手段がカップを検知すると、当該カップ検知手段が設けられている飲料注出位置上方の飲料選択ボタンのみの操作を受け付け、当該飲料選択ボタンが操作されると当該飲料注出位置に設けられた飲料ノズルから飲料を注出させるように前記飲料供給手段を制御することを特徴とする請求項１乃至請求項３の何れかに記載の飲料ディスペンサ。
【発明の詳細な説明】
【技術分野】
【０００１】
本発明は、飲料選択ボタンで選択された飲料をカップ載置台に載置されているカップに飲料ノズルから注出する飲料ディスペンサに関するものである。
【背景技術】
【０００２】
飲料ディスペンサは、炭酸ガスボンベから供給される炭酸ガスの圧力でシロップタンクから圧送されるシロップと飲用水や炭酸水等の希釈水をそれぞれの供給管路で飲料ノズルに接続している。利用者が所望する飲料の飲料選択ボタンを押すと、押された飲料選択ボタンに対応しているシロップと希釈水がそれぞれの供給管路から飲料ノズルに供給され、飲料ノズルからカップに注出される。また、カップ載置台に載置されたカップの有無を検知するカップ検知センサを備え、カップを検知していないときは飲料ノズルからの飲料供給を禁止することにより、カップをカップ載置台に載置せずに飲料選択ボタンが押されても飲料が供給されないようにしている（例えば、特許文献１参照）。
【特許文献１】特開２００３−２６２９３号公報
【発明の開示】
【発明が解決しようとする課題】
【０００３】
しかしながら、このような飲料ディスペンサがファミリーレストラン等の飲食店のフリードリンクサービス用に設置されている場合、飲料ディスペンサの使用に不慣れな利用者にはカップ載置台にカップを載置して所望する飲料を選択する飲料選択ボタンを押す時にボタンの選択に迷うことも多く、飲料選択に時間を要することになり、フリードリンクコーナーが混雑する要因ともなっている。
【０００４】
本発明は、上記実情に鑑みて、カップ載置台に載置したカップに対応しているカップ選択ボタンを容易に判別することが可能な飲料ディスペンサを提供することを目的とする。
【課題を解決するための手段】
【０００５】
上記目的を達成するため、本発明の請求項１に係る飲料ディスペンサは、利用者の所望する飲料を選択するための複数の飲料選択ボタンと、当該飲料選択ボタン位置下方の飲料注出位置それぞれに設けられて飲料を注出する飲料ノズルと、当該飲料ノズルから注出される飲料を受けるカップを載置するカップ載置台と、前記飲料選択ボタンで選択した飲料を前記飲料ノズルから注出させる飲料供給手段と、を備えている飲料ディスペンサにおいて、
前記飲料選択ボタンのそれぞれを後方から照明するボタン照明手段と、
前記各飲料注出位置それぞれでの前記カップ載置台上のカップの有無を検知するカップ検知手段と、
前記カップ検知手段の検知に基づいて前記ボタン照明手段と前記飲料供給手段とを制御する制御手段と、
を設けたことを特徴とする。
【０００６】
また、本発明の請求項２に係る飲料ディスペンサは、上述した請求項１において、前記制御手段は、前記カップ検知手段がカップを検知すると、当該カップ検知手段が設けられている飲料注出位置上方の飲料選択ボタンを除いた前記飲料選択ボタンの前記ボタン照明手段を消灯することを特徴とする。
また、本発明の請求項３に係る飲料ディスペンサは、上述した請求項１において、前記制御手段は、前記カップ検知手段がカップを検知すると、当該カップ検知手段が設けられている飲料注出位置上方の飲料選択ボタンの前記ボタン照明手段を点灯することを特徴とする。
【０００７】
また、本発明の請求項４に係る飲料ディスペンサは、上述した請求項１乃至請求項３の何れかにおいて、前記制御手段は、前記カップ検知手段がカップを検知していないときは前記飲料供給手段による飲料の供給を禁止し、
前記カップ検知手段がカップを検知すると、当該カップ検知手段が設けられている飲料注出位置上方の飲料選択ボタンのみの操作を受け付け、当該飲料選択ボタンが操作されると当該飲料注出位置に設けられた飲料ノズルから飲料を注出させるように前記飲料供給手段を制御することを特徴とする。
【発明の効果】
【０００８】
請求項１の発明によれば、飲料ディスペンサに、飲料選択ボタンのそれぞれを後方から照明するボタン照明手段と、各飲料注出位置それぞれでのカップ載置台上のカップの有無を検知するカップ検知手段と、カップ検知手段の検知に基づいてボタン照明手段と飲料供給手段とを制御する制御手段と、を設けたことにより、カップ載置台に載置したカップに対応しているカップ選択ボタンを容易に判別することが可能な飲料ディスペンサを提供することが可能となる。これにより、飲料ディスペンサがファミリーレストラン等の飲食店のフリードリンクサービス用に設置されている場合にも、飲料ディスペンサの使用に不慣れな利用者がカップ載置台にカップを載置して所望する飲料を選択する飲料選択ボタンを押す時にボタンの選択に迷うことがなく、飲料選択に時間を要しなくなり、フリードリンクコーナーの混雑を解消することができる。
【０００９】
また、請求項２の発明によれば、制御手段は、カップ検知手段がカップを検知すると、当該カップ検知手段が設けられている飲料注出位置上方の飲料選択ボタンを除いた飲料選択ボタンのボタン照明手段を消灯することにより、利用者が押す飲料選択ボタンが明確になるので、飲料ディスペンサの使用に不慣れな利用者がカップ載置台にカップを載置して所望する飲料を選択する飲料選択ボタンを押す時にボタンの選択に迷うことがなくなる。
【００１０】
また、請求項３の発明によれば、制御手段は、カップ検知手段がカップを検知すると、当該カップ検知手段が設けられている飲料注出位置上方の飲料選択ボタンのボタン照明手段を点灯することにより、利用者が押す飲料選択ボタンが明確になるので、飲料ディスペンサの使用に不慣れな利用者がカップ載置台にカップを載置して所望する飲料を選択する飲料選択ボタンを押す時にボタンの選択に迷うことがなくなる。
【００１１】
また、請求項４の発明によれば、制御手段は、カップ検知手段がカップを検知していないときは飲料供給手段による飲料の供給を禁止し、カップ検知手段がカップを検知すると、当該カップ検知手段が設けられている飲料注出位置上方の飲料選択ボタンのみの操作を受け付け、当該飲料選択ボタンが操作されると当該飲料注出位置に設けられた飲料ノズルから飲料を注出させるように飲料供給手段を制御することにより、カップがカップ載置台に載置されていないのに飲料を注出することによる飲料の無駄がなくなり、また、注出された飲料によるカップ載置台周囲の汚れがなくなる。
【発明を実施するための最良の形態】
【００１２】
以下に添付図面を参照して、本発明に係る飲料ディスペンサの好適な実施の形態について詳細に説明する。なお、この実施の形態によりこの発明が限定されるものではない。
図１は、本発明の実施の形態に係る飲料ディスペンサ１の外観図である。飲料ディスペンサ１は、前面に開口を有するディスペンサ本体２と、ディスペンサ本体２の前面開口を開閉可能にする態様で当該ディスペンサ本体２の前面の一側に支承された前扉３とを有している。前扉３の外面には、Ｓ、Ｍ、Ｌ等の表示をして飲料注出量を選択可能としている飲料選択ボタン４ａ、４ｂ、４ｃを備えた操作パネル４が設けられ、注出される飲料が表示されている。そして、これら操作パネルと飲料選択ボタンは注出可能な飲料の種類数に応じて複数設けられている（図１では、操作パネル４、５、６、７、８の５種類を設けている）。また、前扉３の内側下方には、飲料を注出する飲料ノズルやチューブ式ポンプが配設され、その下方には飲料容器であるカップを載置するカップ載置台１２が設けられている。カップ載置台１２には飲料ノズルから注出される飲料を受けるカップを載置する位置を規制するカップガイド１３，１４、１５が設けられている。カップガイド１３の上方にはカップの有無を検知するカップ検知センサ９が設けられ（図２参照）、カップガイド１４の上方にはカップの有無を検知するカップ検知センサ１０が設けられ（図２参照）、カップガイド１５の上方にはカップの有無を検知するカップ検知センサ１１が設けられている。
【００１３】
図２は飲料ディスペンサ１の前扉３を開けてディスペンサ本体２の前面開口を示す図である。ディスペンサ本体２には冷却装置（図示せず）でその庫内が冷却されている冷蔵庫１６が設けられ、当該冷蔵庫１６には無炭酸飲料が収容されているＢＩＢ（Ｂａｇ  Ｉｎ  Ｂｏｘ）１７、１８が収納され、ＢＩＢ１７、１８に収容されている無炭酸飲料は冷却されている。また、ＢＩＢ１７にはチューブ（飲料ノズル）１７ａ、ＢＩＢ１８にはチューブ（飲料ノズル）１８ａが接続されており、チューブ式ポンプ（飲料供給手段）１９が駆動されるとＢＩＢ１７に収容されている無炭酸飲料がチューブ１７ａから注出されるとともに希釈水が希釈水チューブ１７ｂから注出される。また、チューブ式ポンプ（飲料供給手段）２０が駆動されるとＢＩＢ１８に収容されている無炭酸飲料がチューブ１８ａから注出されるとともに希釈水が希釈水チューブ１８ｂから注出される。
【００１４】
さらに、図３で示している飲用水ポンプ２２が駆動され、飲用水入口電磁弁２１、飲用水電磁弁２５が開かれると、飲用水が飲用水供給管路２６を通流してマルチバルブ５０に供給され、炭酸水電磁弁３１が開かれると、炭酸水が炭酸水供給管路３２を通流してマルチバルブ５０に供給される。また、シロップ電磁弁３７またはシロップ電磁弁４２が開かれるとシロップがシロップ供給管路３８またはシロップ供給管路４３を通流してマルチバルブ５０に供給される。このようにして供給された飲用水または炭酸水とシロップはマルチバルブ５０内で混合され、飲料となってカップ載置台１２に載置されているカップに注出される。
【００１５】
また、カップ載置台１２のカップガイド１３の位置にカップが載置されるとカップ有信号を供給制御部９０（図４参照）に出力するカップ検知センサ９、カップガイド１４の位置にカップが載置されるとカップ有信号を出力するカップ検知センサ１０、カップガイド１５の位置にカップが載置されるとカップ有信号を出力するカップ検知センサ１１が設けられている。カップ検知センサ９、１０、１１は、例えば、光の発光部と受光部を備えた光反射型センサであり、発光部からの光がカップの側面に当たり反射すると、その反射した光を受光部が受けてカップ有信号を出力するものである。なお、カップを検知するカップ検知手段として光反射型センサの実施例で説明したが、それに限定されるものではなく、例えば、マイクロスイッチ等を使用しても同様の効果を得ることができる。
【００１６】
そして、操作パネル４はチューブ１７ａ、カップ検知センサ９、カップガイド１３と垂直方向に配置され、操作パネル５はチューブ１８ａ、カップ検知センサ１０、カップガイド１４と垂直方向に配置されている。また、操作パネル６、７、８はマルチバルブ５０、カップ検知センサ１１、カップガイド１５と垂直方向に配置されている。
図３は、シロップと飲用水や炭酸水等の希釈水を混合した飲料を飲料ノズルから注出する飲料供給手段の概略構成図である。飲用水入口電磁弁２１、飲用水ポンプ２２、飲用水冷却コイル２３、飲用水フローレギュレータ２４、飲用水電磁弁２５、飲用水供給管路２６、カーボネータ（炭酸水製造装置）２８に飲用水を供給する給水電磁弁２７、炭酸水フローレギュレータ２９、炭酸水冷却コイル３０、炭酸水電磁弁３１、炭酸水供給管路３２、炭酸ガスボンベ３３、シロップタンク３４、３９、シロップ冷却コイル３５、４０、シロップフローレギュレータ３６、４１、シロップ電磁弁３７、４２、シロップ供給管路３８、４３、マルチバルブ（飲料ノズル）５０で構成されている。
【００１７】
飲用水は、供給制御部９０により飲用水ポンプ２２が駆動され、飲用水入口電磁弁２１、飲用水電磁弁２５が開くと、飲用水冷却コイル２３で冷やされ、飲用水フローレギュレータ２４で流量が調整され、飲用水供給管路２６を通流してマルチバルブ５０に供給され、予め設定してある時間に達すると、飲用水ポンプ２２を停止するとともに飲用水入口電磁弁２１、飲用水電磁弁２５を閉じて飲用水の供給を停止する。
【００１８】
また、飲用水供給管路２６を分岐させ、給水電磁弁２７を介してカーボネータ２８に接続してある。カーボネータ２８には、水位を検出するためのフロートスイッチ（図示せず）が設けられ、カーボネータ２８の水位が下限位置になると飲用水入口電磁弁２１、給水電磁弁２７を開き、飲用水ポンプ２２を駆動して給水し、水位が上限位置になると飲用水入口電磁弁２１、給水電磁弁２７を閉じ、飲用水ポンプ２２を停止する。そして、炭酸ガスボンベ３３から供給された炭酸ガスを飲用水に溶かして炭酸水を作る。炭酸水は、供給制御部９０により炭酸水電磁弁３１が開くと、炭酸ガスボンベ３３から供給されている炭酸ガスの圧力でカーボネータ２８から押し出され、炭酸水フローレギュレータ２９で流量が調整され、炭酸水冷却コイル３０で冷やされ、炭酸水供給管路３２を通流してマルチバルブ５０に供給され、予め設定してある時間に達すると、炭酸水電磁弁３１を閉じて炭酸水の供給を停止する。
【００１９】
一方、シロップは供給制御部９０によりシロップ電磁弁３７が開くと、炭酸ガスボンベ３３から供給されている炭酸ガスの圧力でシロップタンク３４から押し出され、シロップ冷却コイル３５で冷やされ、シロップフローレギュレータ３６で流量が調整され、シロップ供給管路３８を通流してマルチバルブ５０に供給され、予め設定してある時間に達すると、シロップ電磁弁３７を閉じてシロップの供給を停止する。また、シロップ電磁弁４２を開いても、上記同様にシロップタンク３９からマルチバルブ５０にシロップが供給される。なお、シロップタンク、シロップ冷却コイル、シロップフローレギュレータ、シロップ電磁弁、シロップ供給管路は、注出可能な飲料の種類数に応じた数を設けている。このようにして供給されたシロップと飲用水または炭酸水はマルチバルブ５０内で混合され、飲料となってカップ載置台１２に載置されているカップに注出される。
【００２０】
次に、本発明の実施の形態に係る飲料ディスペンサの制御について図４に示す制御ブロック図を用いて説明する。符号は、図１〜図３のものに対応している。制御は、供給制御部（制御手段）９０により行われ、飲料ディスペンサ１の制御データを格納するメモリ９１と、基準クロック発生部（図示せず）で発生するクロックをカウントして、チューブ式ポンプ１９、２０や各電磁弁、飲用水ポンプ２２の作動時間を計数するタイマー９２を有している。
【００２１】
供給制御部９０には、利用者が所望する飲料の飲料注出量を選択するための飲料選択ボタン４ａ、４ｂ、４ｃから飲料選択ボタン８ａ、８ｂ、８ｃと、カップ載置台１２のカップガイド１３の位置にカップが載置されるとカップ有信号を供給制御部９０に出力するカップ検知センサ９、カップガイド１４の位置にカップが載置されるとカップ有信号を出力するカップ検知センサ１０、カップガイド１５の位置にカップが載置されるとカップ有信号を出力するカップ検知センサ１１が接続されている。
【００２２】
また、供給制御部９０が出力する信号で各々動作する、飲料選択ボタン４ａ、４ｂ、４ｃから飲料選択ボタン８ａ、８ｂ、８ｃそれぞれに対応して後方から飲料選択ボタンを照明するボタン照明ＬＥＤ（ボタン照明手段）４ａａ、４ｂｂ、４ｃｃからボタン照明ＬＥＤ（ボタン照明手段）８ａａ、８ｂｂ、８ｃｃ、ＢＩＢ１７に収容されている無炭酸飲料をチューブ１７ａから注出するチューブ式ポンプ１９、ＢＩＢ１８に収容されている無炭酸飲料をチューブ１８ａから注出するチューブ式ポンプ２０、飲用水入口電磁弁２１、飲用水ポンプ２２、飲用水電磁弁２５、給水電磁弁２７、炭酸水電磁弁３１、シロップ電磁弁３７、４２が供給制御部９０に接続されている。
【００２３】
供給制御部９０は、カップ載置台１２の所定位置にカップが載置されるとカップ検知センサ９、１０、１１の何れかが出力するカップ有信号に基づいてボタン照明ＬＥＤ４ａａ、４ｂｂ、４ｃｃからボタン照明ＬＥＤ８ａａ、８ｂｂ、８ｃｃの何れかを点灯させ、飲料選択ボタン４ａ、４ｂ、４ｃから飲料選択ボタン８ａ、８ｂ、８ｃの何れかのボタンが押されると出力する信号に基づいてチューブ式ポンプ１９、２０や図３に示す飲料供給手段を制御して飲料を注出させる。
【００２４】
以上、本発明の飲料ディスペンサ１の構成について説明したが、次に飲料ディスペンサ１の飲料注出動作について説明する。
図５は、本発明の実施の形態に係る飲料ディスペンサ１の飲料注出動作の制御を示すフローチャート図である。先ず、供給制御部９０は全てのボタン照明ＬＥＤを点灯し、全ての飲料選択ボタンの飲料選択受付を禁止している。そして、飲料ディスペンサ１の利用者が所望する飲料が表示されている操作パネル下方のカップ載置台１２のカップガイド、例えばカップガイド１３の位置にカップを載置すると、カップ検知センサ９がカップを検知してカップ有信号を供給制御部９０へ出力する（ステップＳ１１：カップ有）。供給制御部９０はカップ検知センサ９からカップ有信号を受けるとボタン照明ＬＥＤ４ａａ、４ｂｂ、４ｃｃを除く全てのボタン照明ＬＥＤを消灯させる（ステップＳ１２）。ボタン照明ＬＥＤ４ａａ、４ｂｂ、４ｃｃのみが点灯し、他の全てのボタン照明ＬＥＤが消灯していることにより飲料選択ボタン４ａ、４ｂ、４ｃのみが後方から照明されて利用者に当該飲料選択ボタン４ａ、４ｂ、４ｃの何れかを押すことを促す。また、供給制御部９０は飲料選択ボタン４ａ、４ｂ、４ｃのみの操作を受け付ける。利用者が照明された飲料選択ボタン４ａ、４ｂ、４ｃに促されて例えば飲料選択ボタン４ｂを押すと、対応する無炭酸飲料をチューブ１７ａから、希釈水を希釈水チューブ１７ｂから、予め決められている所定量をカップ載置台１２のカップガイド１３の位置に載置してあるカップに注出して（ステップＳ１３）飲料ディスペンサ１による飲料注出動作が完了する。
【００２５】
このように、カップ載置台１２に載置したカップに対応しているカップ選択ボタンを容易に判別することが可能な飲料ディスペンサ１を提供することができる。これにより、飲料ディスペンサ１がファミリーレストラン等の飲食店のフリードリンクサービス用に設置されている場合にも、飲料ディスペンサ１の使用に不慣れな利用者がカップ載置台１２にカップを載置して所望する飲料を選択する飲料選択ボタンの何れかを押す時にボタンの選択に迷うことがなくなり、飲料選択に時間を要しなくなり、フリードリンクコーナーの混雑が解消される。
【００２６】
次に、図６の飲料ディスペンサ１の飲料注出動作の制御を示すフローチャート図を用いて別の実施の形態について説明する。先ず、供給制御部９０は全てのボタン照明ＬＥＤを消灯し、全ての飲料選択ボタンの飲料選択受付を禁止している。そして、飲料ディスペンサ１の利用者が所望する飲料が表示されている操作パネル下方のカップ載置台１２のカップガイド、例えばカップガイド１４の位置にカップを載置すると、カップ検知センサ１０がカップを検知してカップ有信号を供給制御部９０へ出力する（ステップＳ２１：カップ有）。供給制御部９０はカップ検知センサ１０からカップ有信号を受けるとボタン照明ＬＥＤ５ａａ、５ｂｂ、５ｃｃを点灯させる（ステップＳ２２）。全て消灯していたボタン照明ＬＥＤの中でボタン照明ＬＥＤ５ａａ、５ｂｂ、５ｃｃのみを点灯させたことにより飲料選択ボタン５ａ、５ｂ、５ｃのみが後方から照明されて利用者に当該飲料選択ボタン５ａ、５ｂ、５ｃの何れかを押すことを促す。また、供給制御部９０は飲料選択ボタン５ａ、５ｂ、５ｃのみの操作を受け付ける。利用者が照明された飲料選択ボタン５ａ、５ｂ、５ｃに促されて例えば飲料選択ボタン５ａを押すと、対応する無炭酸飲料をチューブ１８ａから、希釈水を希釈水チューブ１８ｂから、予め決められている所定量をカップ載置台１２のカップガイド１４の位置に載置してあるカップに注出して（ステップＳ２３）飲料ディスペンサ１による飲料注出動作が完了する。
【００２７】
このように、カップ載置台１２に載置したカップに対応しているカップ選択ボタンを容易に判別することが可能な飲料ディスペンサ１を提供することができる。これにより、飲料ディスペンサ１がファミリーレストラン等の飲食店のフリードリンクサービス用に設置されている場合にも、飲料ディスペンサ１の使用に不慣れな利用者がカップ載置台１２にカップを載置して所望する飲料を選択する飲料選択ボタンの何れかを押す時にボタンの選択に迷うことがなくなり、飲料選択に時間を要しなくなり、フリードリンクコーナーの混雑が解消される。
【図面の簡単な説明】
【００２８】
【図１】本発明の実施の形態である飲料ディスペンサの外観図である。
【図２】図１に示した飲料ディスペンサのディスペンサ本体前面開口を示す図である。
【図３】図１に示した飲料ディスペンサの飲料供給手段の概略構成図である。
【図４】図１に示した飲料ディスペンサの制御ブロック図である。
【図５】図１に示した飲料ディスペンサの制御を示すフローチャート図である。
【図６】図１に示した飲料ディスペンサの制御を示すフローチャート図である。
【符号の説明】
【００２９】
１      飲料ディスペンサ
２      ディスペンサ本体
３      前扉
４      操作パネル
４ａ    飲料選択ボタン
４ａａ  ボタン照明ＬＥＤ（ボタン照明手段）
１１      カップ検知センサ（カップ検知手段）
１２      カップ載置台
１５      カップガイド
１７ａ    チューブ（飲料ノズル）
１８ａ    チューブ（飲料ノズル）
１９      チューブ式ポンプ（飲料供給手段）
２０      チューブ式ポンプ（飲料供給手段）
５０      マルチバルブ（飲料ノズル）
９０      供給制御部（制御手段）
３０      希釈液吐出アダプタ
３１      洗浄用アダプタ
【図１】
2010126174.tif 000003
【図２】
2010126174.tif 000004
【図３】
2010126174.tif 000005
【図４】
2010126174.tif 000006
【図５】
2010126174.tif 000007
【図６】
2010126174.tif 000008